(57)【特許請求の範囲】
【請求項１】
取付面に固着されるフレーム本体と、該フレーム本体に支持されて設けられる振動板と、該振動板に固着される加振器とを備えたパネル装置であって、
前記フレーム本体の両端部には、鉤型形状に形成された一対の支持片が設けられ、
前記振動板の両端部には、前記支持片と互いに係合関係となるように形成された一対の被支持片が設けられており、
前記支持片は、前記取付面に対して略垂直となるように折曲形成された立壁部と該立壁部から略垂直に折曲形成された鍔部とによって前記鉤型形状とされ、かつ前記立壁部に対向するように前記鍔部から折曲形成された折曲部を有しており、
前記支持片の前記鍔部と該鍔部に対向する前記被支持片との間に、制振材を介在させ、前記振動板と前記フレーム本体との間に所定の隙間を有した状態で前記振動板が前記フレーム本体に支持されることを特徴とするパネル装置。
【請求項２】
請求項１において、
前記支持片の前記鍔部は、前記立壁部から外向きに折曲形成され、前記被支持片は、前記支持片の端部を抱え込むように内向きに折曲形成されていることを特徴とするパネル装置。
【請求項３】
請求項１において、
前記被支持片は、外向きに折曲形成され、前記支持片の前記鍔部は、前記被支持片の端部を抱え込むように前記立壁部から内向きに折曲形成されていることを特徴とするパネル装置。
【発明の詳細な説明】
【技術分野】
【０００１】
本発明は、天井や壁面などに設置されるパネル装置に関する。
【背景技術】
【０００２】
従来より、天井や壁面などの取付面に固着されるフレーム本体と、該フレーム本体に支持されて設けられる振動板と、該振動板に固着される加振器とを備えたパネル装置が知られている。
このようなパネル装置の振動板をフレーム本体に直接接着して固定すると、振動板の振動がフレーム本体に伝わって擦れ音などが発生してしまうことが問題となる。
【０００３】
そこで振動板とフレーム本体との間に制振ゴムなどの軟質材を接着するなどの対策がなされている。
例えば下記特許文献１に記載のスピーカは、天井や壁面などに設置されるものではないが、スピーカが取り付けられる前面キャビネットの棚部とスピーカのクランク部分の間にできた隙間にゴム部材を挿入したものが開示されている。
【先行技術文献】
【特許文献】
【０００４】
【特許文献１】特開２００８−２５８７５３号公報
【発明の概要】
【発明が解決しようとする課題】
【０００５】
ところで振動板をフレーム本体に直接接着して固定した場合、上述の擦れ音の発生の他、加振器の荷重で振動板とフレーム本体との接着部分に負荷がかかり、接着がはがれやすい状態になることも問題となる。また天井や壁面などの取付面に設置されるパネル装置の場合、取付面に直接に振動板の振動が伝わらないよう配慮されたものが求められる。
【０００６】
しかしながら上記特許文献１に記載のものは、パネル型テレビの前面キャビネット内に収容されるスピーカの取付構造である。
従って、天井や壁面などに設置され振動板がフレーム本体に支持されるものとは異なり、振動板のはがれを防止したものではない。
また上記特許文献１に記載のものは、スピーカがスピーカのリブ部と前面キャビネットのリブ部に嵌めあわされて取り付けられるので（上記特許文献１・図６参照）、ここから振動が伝わる可能性がある。
【０００７】
本発明は、上記実情に鑑みてなされたものであり、振動板を良好に振動させるものでありながら、振動板を安定してフレーム本体によって支持することができるパネル装置を提供することを目的としている。
【課題を解決するための手段】
【０００８】
上記目的を達成するために、本発明に係るパネル装置は、取付面に固着されるフレーム本体と、該フレーム本体に支持されて設けられる振動板と、該振動板に固着される加振器とを備えたパネル装置であって、前記フレーム本体の両端部には、鉤型形状に形成された一対の支持片が設けられ、前記振動板の両端部には、前記支持片と互いに係合関係となるように形成された一対の被支持片が設けられており、前記支持片は、前記取付面に対して略垂直となるように略垂直に折曲形成された立壁部と該立壁部から略垂直に折曲形成された鍔部とによって前記鉤型形状とされ、かつ前記立壁部に対向するように前記鍔部から折曲形成された折曲部を有しており、前記支持片の前記鍔部と該鍔部に対向する前記被支持片との間に、制振材を介在させ、前記振動板と前記フレーム本体との間に所定の隙間を有した状態で前記振動板が前記フレーム本体に支持されることを特徴とする。
【０００９】
また本発明において、前記支持片の前記鍔部は、前記立壁部から外向きに折曲形成され、前記被支持片は、前記支持片の端部を抱え込むように内向きに折曲形成されているものとしてもよい。
さらに本発明において、前記被支持片は、外向きに折曲形成され、前記支持片の前記鍔部は、前記被支持片の端部を抱え込むように前記立壁部から内向きに折曲形成されているものとしてもよい。
【発明の効果】
【００１０】
本発明に係るパネル装置は、上述の構成としたことで、振動板を良好に振動させるものでありながら、振動板を安定してフレーム本体によって支持することができる。
【図面の簡単な説明】
【００１１】
【図１】本発明の一実施形態に係るパネル装置を説明するための概略断面図である。
【図２】同パネル装置のフレーム本体に振動板を取り付ける際の取付要領を説明するための概略側面図である。
【図３】本発明の同実施形態に係るパネル装置の変形例を説明するための概略断面図である。
【図４】本発明の他の実施形態に係るパネル装置を説明するための概略断面図である。
【発明を実施するための形態】
【００１２】
以下に本発明の実施の形態について、図面に基づいて説明する。
まずは図１〜図３を参照しながら、一実施形態に係るパネル装置１について説明する。
本実施形態に係るパネル装置１は、取付面１０に固着されるフレーム本体２と、該フレーム本体２に支持されて設けられる振動板３と、該振動板３に固着される加振器４とを備えている。フレーム本体２の両端部には、鉤型形状に形成された一対の支持片２１，２１が設けられ、振動板３の両端部には、支持片２１，２１と互いに係合関係となるように形成された一対の被支持片３１，３１が設けられている。そして支持片２１と被支持片３１との間に、制振材５を介在させ、振動板３とフレーム本体２との間に所定の隙間を有した状態で振動板３がフレーム本体２に支持されるよう構成されている。
フレーム本体２が固着される取付面１０は、天井や壁面などとすることができるが、ここでは天井を取付面１０とした例について説明する。
またパネル装置１の外形は特に限定されるものではないが、ここでは平面視して略矩形状のパネル装置１について説明する。
【００１３】
フレーム本体２は、平板状体からなり、取付面１０に沿って密着して設けられるフラット面２０と、その両端部に形成された一対の支持片２１，２１とを備えている。鉤型に折曲形成される支持片２１おいて、図１に示すフレーム本体２の支持片２１は外向きの鍔状に折曲形成された例を示している。
フレーム本体２は、フラット面２０が取付面１０にビスなどの固定具などによって直付けされる。
支持片２１は、フラット面２０の端部から略垂直に折曲形成された立壁部２１ｂと、立壁部２１ｂに連設されるとともに立壁部２１ｂから略垂直且つ外向きに折曲形成された外向鍔部２１ａとを備えている。
図例のパネル装置１は天井の取付面１０に取り付けられる例を示しているので、立壁部２１ｂは、床面側に下向きに折曲形成され、床面に対して略垂直な状態に形成される。また外向鍔部２１ａは、床面に対して略水平な状態に形成される。
従って、フレーム本体２を断面視した場合、双方の立壁部２１ｂは互いに平行に対向して設けられる。
なお、図例では立壁部２１ｂと外向鍔部２１ａとがなす角度が略９０度になっている例を示しているが、これに限定されず、鉤型形状であれば、鈍角としてもよいし鋭角としてもよい。
【００１４】
振動板３は、平板状体からなり、取付面１０及びフレーム本体２のフラット面２０に対して平行に設けられるフラット面３０と、その両端部に形成された一対の被支持片３１，３１とを備えている。一対の被支持片３１，３１の形状は、特に限定されるものではなく、上述の支持片２１，２１と互いに係合関係となるように形成されたものであればよい。
図１に示す例では、外向きの鍔状に形成された支持片２１と係合関係となるように、被支持片３１は支持片２１の端部（外向鍔部２１ａ）を外側から抱え込むように内向きに折曲形成されたものを示している。
【００１５】
被支持片３１は、フラット面３０の端部から略垂直に折曲形成された起立部３１ｂと、起立部３１ｂに連設されるとともに起立部３１ｂから略垂直且つ内向きに折曲形成された内向鍔部３１ａとを備えている。
ここで被支持片３１の起立部３１ｂの寸法は、フレーム本体２を基準とした場合、制振材５を介在させた際に、フレーム本体２の外向鍔部２１ａと振動板３のフラット面３０との間に隙間が形成されるように設定される。また被支持片３１の内向鍔部３１ａの寸法は、上述と同じく制振材５を介在させた際に、フレーム本体２の立壁部２１ｂと内向鍔部３１ａの端部との間に隙間が形成されるように設定される。さらに振動体３のフラット面３０の寸法は、フレーム本体２に振動板３を支持された状態において、外向鍔部２１ａの端部と起立部３１ｂとの隙間が形成されるように設定される。
振動板３の裏面（図例では取付面１０と対向する面）には加振器４が固着されており、加振器４は、フレーム本体２のフラット面２０と振動板３のフラット面３０との間に形成される隙間に設けられる。
なお、図例では起立部３１ｂと内向鍔部３１ａとがなす角度が略９０度になっている例を示しているが、これに限定されるものではない。立壁部２１ｂと外向鍔部２１ａとがなす角度に合わせて、支持片２１を外側から抱え込むように形成されたものとすれば、起立部３１ｂと内向鍔部３１ａとがなす角度は鈍角としてもよいし鋭角としてもよい。
【００１６】
フレーム本体２に振動板３を取り付けた状態において、外向鍔部２１ａと内向鍔部３１ａとの間には、制振材５が設けられている。
制振材５は、ゴムなどの軟質材からなり、図１に示す例では、断面方形の角柱状に形成された制振材５が外向鍔部２１ａにおける内向鍔部３１ａとの対向面に沿って固着されている。
ここで制振材５の硬さや厚みなどは、加振器４から与えられる振動の伝わりを阻害することなく、振動板３が理想的な動作状態とされる平行移動（ピストンモーション）が行えるよう設定されることが望ましい。例えば制振材５が硬すぎるとフレーム本体２などに振動が伝わってしまう。また制振材５が柔らかすぎるとフレーム本体２に安定して振動板３が支持されにくくなってしまう。制振材５の厚みが厚すぎるとパネル装置１の厚みがでて大型化してしまう。また制振材５の厚みが薄すぎると振動が吸収されず、フレーム本体２などに振動が伝わってしまう。
【００１７】
なお、制振材５の形状は図例に限定されず、円柱状としてもよいし、間隔を空けて複数個、設けられるものとしてもよいが、図２に示すようにフレーム本体２の長手方向もしくは幅方向に沿って一連に形成されたものとしてもよい。
また上述のように角柱状とすれば、外向鍔部２１ａと内向鍔部３１ａとの間に安定して取り付けしやすく、一連に形成されたものとすれば、取り付けが簡易である。
【００１８】
このように制振材５を外向鍔部２１ａと内向鍔部３１ａとの間に介在されることにより、外向鍔部２１ａと内向鍔部３１ａとの間に隙間が形成される。
また上述のように寸法設定された振動板３がフレーム本体２を覆うように設けられるので、外向鍔部２１ａの端部と起立部３１ｂとの間、内向鍔部３１ａの端部と立壁部２１ｂとの間、外向鍔部２１ａと振動板３のフラット面３０との間に隙間が形成される。
【００１９】
以上の構成によれば、フレーム本体２と振動板３との間に、所定の隙間を有した状態（非当接状態）、すなわち、フレーム本体２と振動板３とが直接接触することがない状態で振動板３をフレーム本体２で支持することができる。
従って、振動板３がフレーム本体２に直接固着されず、隙間を有した状態で支持されるので、理想的な動作状態とされる平行移動（ピストンモーション）がしやすくなり、パネルスピーカとした場合、十分な低音域を確保できないなど、音質の問題を解消することができる。
またフレーム本体２と振動板３とが直接接触する箇所がないので、振動板３とフレーム本体２とが接触することにより発生する擦れ音（ビビリ音）なども防止することができる。
さらに立壁部２１ｂと内向鍔部３１ａの先端との隙間、外向鍔部２１ａの先端と起立部３１ｂとの隙間は、制振材５が外れてもこれらの隙間から出ない大きさとなっており、制振材５が外れても直接フレーム本体２と振動板３とが接触せず、もって擦れ音などの発生を防止できる。
そして取付面１０、ひいては住宅躯体にも直接的に振動板３の振動が伝わることを防止することができるので、振動が伝わることによる弊害を抑制することができる。
【００２０】
また上述のようにフレーム本体２の支持片２１は、外向きに折曲形成されるとともに、振動板３の被支持片３１は、外向鍔部２１ａを抱え込むように内向きに折曲形成されている。従って振動で負荷がかかって例えば制振材５との接着がはがれてしまうようなことがあっても、振動板３のみが落下してしまうおそれがない。
また加振器４の負荷が振動板３にかかっても、その負荷は両端部に配設された制振材５にもかかるので、振動板３をフレーム本体２によって安定して支持された状態にすることができる。
【００２１】
図２には、フレーム本体２に振動板３を取り付ける際の取付要領を示している。
まずは、フレーム本体２を取付面１０に固着する。そして、加振器４が固着された振動板３を持って、フレーム本体２の支持片２１が形成されていない端部から振動板３をスライド（図２・矢印方向参照）させていく。
このとき、振動板３は外向鍔部２１ａと内向鍔部３１ａ、立壁部２１ｂと起立部３１ｂとが平行関係になるように取り付けられる。
そして振動板３の端部とフレーム本体２の端部が一致する位置まで振動板３をスライドさせたら、内向鍔部３１ａを制振材５に向けて押圧する。
すると、制振材５の当接面５ａと内向鍔部３１ａとが接着され強固にフレーム本体２に振動板３を取り付けることができる。
【００２２】
パネル装置１の外形が上述のように平面視して略矩形状とされたものであれば、このようにフレーム本体２に対して支持片２１が形成されていない側から振動板３をスライドさせて容易に取り付けることができる。
ここで、制振材５は、予めフレーム本体２の外向鍔部２１ａに接着剤などによって接着しておくとよい。また制振材５の内向鍔部３１ａとの当接面５ａ（図２参照）には予め両面テープを貼着しておき、振動板３を取り付ける際に、接着面を露出させるようにすれば、容易に振動板３の内向鍔部３１に制振材５を接着させた状態とすることができる。
このように、制振材５の両面（外向鍔部２１ａ側と内向鍔部３１ａ）が接着されたものとすれば、加振器４の駆動によって振動板３が振動しても、その振動は制振材５に吸収されるとともに、振動板３が振動によって位置ズレすることを防止できる。またこのように制振材５を介してフレーム本体２と振動板３とを接着状態とすれば、図例のように天井だけでなく、壁面にパネル装置１を取り付けることができる。
【００２３】
続いて図３には上述とは異なる例を示している。上述の例と共通する部分には共通の符号を付し、その説明は省略する。
ここに示す例は、外向鍔部２１ａ及び内向鍔部３１ａの端部にさらに折曲形成され延設された折曲部２１ｃ，３１ｃが設けられている点が上述の例と異なる。
この構成においても、上述の効果を奏し、同じ取付要領で取り付けを行うことができる。
以上の構成によれば、折曲部２１ｃ，３１ｃ間に制振材５が位置しているので、制振材５が外れても折曲部２１ｃ，３１ｃ間に必ず制振材５が位置することとなり、制振材５が外れても直接フレーム本体２と振動板３とが接触せず、もって擦れ音などの発生を防止することができる。
【００２４】
次に本発明の他の実施形態に係るパネル装置１として図４を示す。
ここでも上述の実施形態と共通する部分には共通の符号を付し、その説明は省略する。
本実施形態に係るパネル装置１は、被支持片３１が、外向きに折曲形成されるとともに、支持片２１は、被支持片３１の端部（外向鍔部３１ｄ）を抱え込むように内向きに折曲形成されている点で上述の実施形態と異なる。
フレーム本体２は、平板状体からなり、取付面１０に沿って密着して設けられるフラット面２０と、その両端部に形成された一対の支持片２１，２１とを備えている。
支持片２１は、フラット面２０の端部から略垂直に折曲形成された立壁部２１ｂと、立壁部２１ｂに連設されるとともに立壁部２１ｂから略垂直且つ内向きに折曲形成された内向鍔部２１ｄと、内向鍔部２１ｄに連設されるとともに内向鍔部２１ｄから略垂直に且つ立壁部２１ｂと平行に折曲形成された折曲部２１ｃとを備えている。
図例のパネル装置１は天井の取付面１０に取り付けられる例を示しているので、立壁部２１ｂは、床面側に下向きに折曲形成され、床面に対して略垂直な状態に形成される。また外向鍔部２１ａは、床面に対して略水平な状態に形成される。そして折曲部２１ｃは天井側に上向きに折曲形成され、床面に対して略垂直な状態に形成される。
従って、フレーム本体２を断面視した場合、双方の立壁部２１ｂ及び折曲部２１ｃは互いに平行に対向して設けられる。
なお、図例では立壁部２１ｂ、内向鍔部２１ｄ、折曲部２１ｃのそれぞれがなす角度が略９０度になっている例を示しているが、これに限定されず、鉤型形状であれば、鈍角としてもよいし鋭角としてもよい。
【００２５】
振動板３は、平板状体からなり、取付面１０及びフレーム本体２のフラット面２０に対して平行に設けられるフラット面３０と、その両端部に形成された一対の被支持片３１，３１とを備えている。一対の被支持片３１，３１の形状は、特に限定されるものではなく、上述の支持片２１，２１と互いに係合関係となるように形成されたものであればよい。
図４に示す例では、内向きの鍔状に形成された支持片２１と係合関係となるように、支持片２１は、被支持片３１の端部を抱え込むように内向きに折曲形成されたものを示している。
【００２６】
被支持片３１は、フラット面３０の端部から略垂直に折曲形成された起立部３１ｂと、起立部３１ｂに連設されるとともに起立部３１ｂから略垂直且つ外向きに折曲形成された外向鍔部３１ｄとを備えている。
ここで振動体３のフラット面３０の寸法は、フレーム本体２を基準とした場合、制振材５を介在させた際に、フレーム本体２の折曲部２１ｃと、振動板３の起立部３１ｂとの間に隙間が形成されるように設定される。また被支持片３１の起立部３１ｂ及び外向鍔部３１ｄの寸法は、上述と同じく制振材５を介在させた際に、外向鍔部３１ｄの端部とフレーム本体２の折曲部２１ｃ及び立壁部２１ｂとの間に隙間が形成されるように設定される。
振動板３の裏面（図例では取付面１０と対向する面）には加振器４が固着されており、加振器４は、フレーム本体２のフラット面２０と振動板３のフラット面３０との間に形成される隙間に設けられる。
なお、図例では起立部３１ｂと外向鍔部３１ｄとがなす角度が略９０度になっている例を示しているが、これに限定されるものではない。立壁部２１ｂと内向鍔部２１ｄとがなす角度に合わせて、被支持片３１の外向鍔部３１ｄを外側から抱え込むように形成されたものとすれば、起立部３１ｂと外向鍔部３１ｄとがなす角度は鈍角としてもよいし鋭角としてもよい。
【００２７】
フレーム本体２に振動板３を取り付けた状態において、内向鍔部２１ｄと外向鍔部３１ｄとの間には、制振材５が設けられている。
このように制振材５を内向鍔部２１ｄと外向鍔部３１ｄとの間に介在されることにより、内向鍔部２１ｄと外向鍔部３１ｄとの間に隙間が形成される。
また上述のように寸法設定された振動板３がフレーム本体２に支持されて設けられるので、折曲部２１ｃと起立部３１ｂとの間、外向鍔部３１ｄの端部と立壁部２１ｂとの間、外向鍔部３１ｄとフレーム本体２のフラット面２０との間に隙間が形成される。
【００２８】
以上の構成によれば、フレーム本体２と振動板３との間に、所定の隙間を有した状態（非当接状態）、すなわち、フレーム本体２と振動板３とが直接接触することがない状態で振動板３をフレーム本体２で支持することができ、上述の実施形態と同様の効果を奏し得る。
また本実施形態によれば、上述のように被支持片３１は外向きに折曲形成されるとともに、支持片２１は、被支持片３１の外向鍔部３１ｄを抱え込むように内向きに折曲形成されている。従って振動で負荷がかかって例えば制振材５との接着がはがれてしまうようなことがあっても、振動板３のみが落下してしまうおそれがない。
さらに立壁部２１ｂと外向鍔部３１ｄの先端との隙間は、制振材５が外れてもこの隙間から出ない大きさとなっており、また折曲部２１ｃが形成されているので、制振材５が外れても直接フレーム本体２と振動板３とが接触せず、もって擦れ音などの発生を防止できる。
【００２９】
なお、本実施形態に係るパネル装置１の形状、構成は図例に限定されず、また図例では、加振器４がひとつのみ表されているが、パネル装置１の大きさに応じて複数設けられたものとしてもよい。
【符号の説明】
【００３０】
１      パネル装置
２      フレーム本体
２１      支持片
３      振動板
３１      被支持片
４      加振器
５      制振材
１０      取付面
【図１】
0005541625.tif 000002
【図２】
0005541625.tif 000003
【図３】
0005541625.tif 000004
【図４】
0005541625.tif 000005